(57)【特許請求の範囲】
【請求項１】
少なくとも液吸収能力を持つ平面状のパッド本体を有し、前記パッド本体の表面側から裏面側へ貫通してタンポンから延びる紐を挿通することが可能な挿通部と、前記パッド本体の端部から前記挿通部に延びて前記紐を案内する案内スリットとが形成されていることを特徴とする吸収パッド。
【請求項２】
前記パッド本体の裏面側に、挟持シートが位置して、前記パッド本体と前記挟持シートとが一部で接合されており、前記挿通部から裏面側へ延びた前記紐が前記パッド本体と前記挟持シートとの間に挟持可能とされている請求項１記載の吸収パッド。
【請求項３】
前記挟持シートの面積は、前記パッド本体の面積と同じかまたは前記パッド本体の面積よりも大きく、前記挟持シートで前記パッド本体の裏面のほぼ全面を覆うことができる請求項２記載の吸収パッド。
【請求項４】
前記挟持シートが液不透過性である請求項２または３記載の吸収パッド。
【請求項５】
前記挟持シートの前記パッド本体に対向する側と逆側の面に、低摩擦処理が施されている請求項２ないし４のいずれかに記載の吸収パッド。
【請求項６】
前記パッド本体の裏面が液不透過性である請求項１ないし５のいずれかに記載の吸収パッド。
【請求項７】
前記パッド本体は、液透過性の表面シートと、液不透過性の裏面シートと、前記表面シートと前記裏面シートとの間に介在する吸収層とを有する請求項６記載の吸収パッド。
【発明の詳細な説明】
【０００１】
【発明の属する技術分野】
本発明は、生理用タンポンと併用されるための吸収パッドに係り、さらに詳しくはタンポンとの相対位置を正確に一致させることができる吸収パッドに関する。
【０００２】
【従来の技術】
生理用タンポンは、生理用ナプキンなどの吸収性物品と併用されることが多い。これは、タンポンで吸収しきれなかった経血や、タンポンと女性性器の間に生じる隙間から漏れる経血が衣類に付着するのを防止するためである。
【０００３】
しかし、タンポンから漏れる経血はわずかであるにもかかわらず比較的大きなナプキンを装着しているため、ナプキン装着の不快感を生じる。またナプキン装着のための煩わしさを与えることになる。
【０００４】
一方、特表２０００−５０１３２２号公報には、タンポンと生理用ナプキンの両方の特徴を兼ね備えた吸収構造を有する吸収性物品が記載されている。この吸収性物品は、縦方向中心線に沿って折り曲げて突部を形成し、前記突部を装着者の大陰唇と小陰唇との間に挿入して、前記吸収性物品を大陰唇の内部に接触させ、装着者の膣腔を塞ぐものである。
【０００５】
【発明が解決しようとする課題】
しかし、このような吸収性物品では、装着時に装着者の大陰唇の位置を探して、適正な位置に装着することが必要であり、装着が困難である。また、従来のタンポンに比べて吸収できる経血の量が少なく、装着時または取り外し時に手が汚れやすいなどの問題点がある。
【０００６】
そこで、本発明は、タンポンと併用して使用する際に、タンポンと装着者の身体との隙間から漏れる経血や、タンポンに吸収しきれなかった経血を吸収でき、さらに小型であり、且つ適正な位置へ装着できるタンポン併用型吸収パッドを提供することを目的としたものである。
【０００７】
【課題を解決するための手段】
本発明の吸収パッドは、少なくとも液吸収能力を持つ平面状のパッド本体を有し、前記パッド本体の表面側から裏面側へ貫通してタンポンから延びる紐を挿通することが可能な挿通部と、前記パッド本体の端部から前記挿通部に延びて前記紐を案内する案内スリットとが形成されていることを特徴とするものである。
【０００８】
前記吸収パッドは、タンポンから延びる紐を挿通する構造であるため、タンポンが装着されている膣腔の部分に確実に装着でき、使用時にもタンポンの装着位置からパッド本体がずれることがない。よってタンポンと膣腔との間などから漏れる少量の経血を確実にパッド本体で吸収できるようになり、パッド本体を薄型で小型のものにできる。
【００１０】
また、前記パッド本体の裏面側に、挟持シートが位置して、前記パッド本体と前記挟持シートとが一部で接合されており、前記挿通部から裏面側へ延びた前記紐が前記パッド本体と前記挟持シートとの間に挟持可能とされていると、下着を装着するまでの間に、パッド本体が膣腔からずれることがなく、正確な位置への装着が容易である。
【００１１】
さらに、前記挟持シートの面積は、前記パッド本体の面積と同じかまたは前記パッド本体の面積よりも大きく、前記挟持シートで前記パッド本体の裏面のほぼ全面を覆うことができるものであることが好ましい。
【００１２】
前記挟持シートが液不透過性であることが好ましく、さらには前記挟持シートの前記パッド本体に対向する側と逆側の面に、低摩擦処理が施されているものが好ましい。この吸収パッドは、タンポンとの相対位置がずれにくいため、パッド本体の裏面を下着に粘着させる必要が無く、さらに、前記のように挟持シートの裏面に低摩擦処理を施して下着との間で容易に滑るようにしておくと、下着が身体からずれてもパッド本体が一緒にずれることがない。
【００１３】
例えば、前記パッド本体の裏面が液不透過性であることが好ましく、例えば、前記パッド本体は、液透過性の表面シートと、液不透過性の裏面シートと、前記表面シートと前記裏面シートとの間に介在する吸収層とを有するものとして構成できる。
【００１４】
【発明の実施の形態】
図１は本発明の吸収パッドを、タンポンと組み合わせた状態で示す斜視図、図２は本発明の吸収パッドを、タンポンと組み合わせた状態で示す図１のＩＩ−ＩＩ線の断面図である。
【００１５】
図１および図２に示す本発明の吸収パッド１は液吸収能力を有する平面型パッドであり、タンポン２０との併用に適するものである。前記吸収パッド１は、パッド本体２と挟持シート３とが接合されたものである。図２に示すように、前記パッド本体２は、液透過性の表面シート１１と、液不透過型の裏面シート１２と、前記表面シート１１と前記裏面シート１２との間に挟まれた吸収層１３とを有している。そして、パッド本体２の周辺部２ａには吸収層１３が設けられておらず、前記周辺部２ａにおいて表面シート１１と裏面シート１２とが接着剤で接合されている。
【００１６】
前記パッド本体２はその全体が水解性の素材で形成され、前記接着剤が水解性であることが好ましい。水解性の場合には使用後に水洗トイレットに流し捨てることができる。ただし、パッド本体２が水解性素材で形成されていなくてもよいことはもちろんである。
【００１７】
前記パッド本体２では、その一辺からほぼ中央部分に至る案内スリット４が形成されており、この案内スリット４の終端が、パッド本体２を表裏に貫通する挿通部５となっている。また前記案内スリット４および挿通部５の周囲部分２ｂには、吸収体１３が設けられておらず、表面シート１１と裏面シート１２とが接合された領域となっており、前記案内スリット４および挿通部５は前記表面シート１１と裏面シート１２との接合部分に切込み形成されている。
【００１８】
図１に示すように、前記表面シート１１には多数の開孔１１ａが形成されているが、この開孔１１ａは、前記挿通部５を囲む領域にのみ形成されている。
【００１９】
前記パッド本体２の裏面シート１２と前記挟持シート３は、部分的な接合部６において接着剤で互いに接合されている。前記接合部６は前記挿通部５の近傍で且つ前記挿通部５と重複しない位置に設けられている。
【００２０】
前記挟持シート３は紙または不織布あるいはフィルムであり、不透液性であることが好ましい。前記挟持シート３の裏面３ａには、下着への粘着層が設けられておらず、前記裏面３ａの全域に低摩擦処理が施されている。この低摩擦処理は、前記裏面３ａにシリコーン樹脂またはフッ素樹脂などをコーティングしたものである。
【００２１】
前記パッド本体２は従来の生理用ナプキンよりも小さく、且つ着用時に縒れることなく膣腔を確実に塞ぐことが可能な大きさである。例えば、パッド本体２の縦方向の最長部の長さＬ１は８０〜１３０ｍｍ程度、好ましくは１００〜１２０ｍｍ、最大幅Ｗ１は５０〜８０ｍｍ、好ましくは６０〜７０ｍｍ程度である。
【００２２】
前記挟持シート３は、パッド本体２の裏面の一部においてのみ前記裏面と重なるものであってもよいが、前記挟持シート３がパッド本体２と同じ寸法か、または図１に示すようにパッド本体２よりも大きく、パッド本体２の裏面の全体が挟持シート３で覆われるものが好ましい。挟持シート３を液不透過性とし、挟持シート３でパッド本体２の裏面の全域が覆われていると、万一パッド本体２に経血の漏れを生じた場合でも、前記挟持シート３が下着に対面することで前記経血で下着が汚れるのを防止できる。
【００２３】
例えば、挟持シート３の縦方向の長さＬ２は前記Ｌ１より長く、前記Ｌ２が８５〜１４０ｍｍ程度、挟持シート３の幅寸法Ｗ２は、５５〜９０ｍｍ程度であることが好ましい。
【００２４】
また、前記挿通部５は、パッド本体２のほぼ中央部に位置していることが好ましく、案内スリット４の長さＬ３は、パッド本体２の長さＬ１の１／３〜１／２程度であることが好ましい。
【００２５】
次に、タンポン２０と前記吸収パッド１の装着方法を説明する。
タンポン２０は、圧縮された吸収体２１と、前記吸収体２１から延びる紐（リード）２２を有している。前記吸収体２１はアプリケータに挿入されているものであってもよいし、アプリケータに挿入されていないものであってもよい。
【００２６】
前記タンポン２０を膣内に挿入しアプリケータを抜き取った後に、紐２２をパッド本体２の案内スリット４に挿入し、案内スリット４に沿って紐２２を挿通部５に案内する。そして、紐２２の端部２２ａを持ち、パッド本体２を引き上げると、挿通部５と前記紐２２との案内作用により、パッド本体２が膣腔に一致する位置に装着される。
【００２７】
パッド本体２が膣腔に装着された後に、前記紐２２を、パッド本体２と挟持シート３との間に挟み込み、例えば図１に示すように、紐２２の端部２２ａを、案内スリット４と逆の向きに回すようにして、紐２２をパッド本体２と挟持シート３との間で挟んで挟持させる。
【００２８】
紐２２がパッド本体２と挟持シート３との間に挟持されていることにより、下着を装着するまでの間、吸収パッド２がタンポンが挿入された膣腔から位置ずれしにくくなり、下着を装着したときに、パッド本体２が位置ずれしにくい。
【００２９】
さらに、挟持シート３の裏面３ａには粘着層が設けられていないため、紐２２によって膣腔に密着するように位置決めされた挟持シート３と、下着３０とが粘着されず、挟持シート３と下着３０とが相対的に動くことができる。特に、前記挟持シート３の裏面３ａに低摩擦処理がなされていると、下着３０がずれたときに挟持シート３と下着３０とが滑り、パッド本体２が膣腔からずれるのを防止できる。
【００３０】
タンポンの吸収体２１から漏れ出した少量の経血は、パッド本体２の吸収層１３により吸収される。特に吸収体２１の周囲に位置するパッド本体２の表面では、表面シート１１に多数の開孔１１ａが形成されているため、タンポン２０から洩れた経血が、前記吸収層１３に速やかに吸収される。また経血が前記紐２２を伝わって漏れた場合、その下には挟持シート３が位置しているため、この挟持シート３を不透液性とすることで、下着３０が汚れるのを防止できる。
【００３１】
前記表面シート１１は、液透過性の不織布、開孔を有する樹脂フィルムで形成可能であるが、前記表面シート１１として、水解性のシートを使用することができる。また裏面シート１２および挟持シート３は、疎水性繊維を主体とした不織布や紙または樹脂フィルムなどで形成された液不透過性シートであるが、この裏面シート１２および挟持シート３も水解性シートで形成することができる。
【００３２】
例えば、表面シート１１、裏面シート１２、および挟持シート３として、パルプ繊維どうしが水素結合されてシート状とされた水解紙、パルプやレーヨンなどの水分散性繊維と水溶性のバインダーとから成る水解紙、親水性繊維が水解可能な状態に交絡させられた不織布を使用できる。そして裏面シート１２および挟持シート３は、前記水解紙や水解性の不織布に、ポリビニルアルコールや不飽和カルボン酸からなる共重合体などの水溶性樹脂を塗工して、液不透過性の水解性シートとすることが可能である。
【００３３】
吸収層１３は、例えば水解紙やパルプや不織布から形成できる。例えば、比較的厚みの薄い水解紙が複数枚重ねられたもの、またはエアレイドパルプなどである。
【００３４】
なお、本発明の前記本体パッド２は、前記のように表面シート１１、裏面シート１２および吸収層１３の積層体で形成されたものに限られない。すなわち、本体パッド２で吸収すべき経血の量はわずかであるため、簡単なパッド構造とすることが可能である。例えば、パッド本体２が裏面シート１２と吸収層１３のみから成り、表面シート１１が設けられていないものであってもよいし、例えば水解紙とＰＶＡフィルムのみで本体パッド２が形成されていてもよい。そして本体パッド２の裏面と挟持シート３の少なくとも一方が、液不透過性であればよい。
【００３５】
さらに、挟持シート３が無くパッド本体２のみで形成されたものであってもよい。また、前記パッド本体２の形状は、図１に示すような六角形でなくてもよく、長方形や楕円形などであってもよい。
【００３６】
【発明の効果】
以上に説明したように、本発明の吸収パッドは、生理用タンポンと併用する際に、簡単に適正な位置へ装着することができる。また、生理用ナプキンよりもサイズが小さいので、前記吸収パッドを装着する際の違和感が生理用ナプキンよりも小さく、装着感に優れたものである。また、本発明の吸収パッドは、タンポンの紐により位置決めされるため、パッドを確実に膣腔に一致させることができ、また装着中にパッドが位置ずれしにくい。
【図面の簡単な説明】
【図１】本発明の吸収パッドを、生理用タンポンと組み合わせた状態で示す斜視図、
【図２】図１のＩＩ−ＩＩ線における断面図、
【符号の説明】
１  吸収パッド
２  パッド本体
３  挟持シート
４  案内スリット
５  挿通部
１１  表面シート
１２  バックシート
１３  吸収層
２０  タンポン
２１  吸収体
２２  紐
【図１】
0003942819.tif 000002
【図２】
0003942819.tif 000003